(57)【要約】【課題】  本発明は、ユーザの手間を省くために、偶数ページと奇数ページの画像の向きを揃えて印刷することができる画像処理装置を提供することを目的とする。【解決手段】本発明の画像処理装置は、互いに１８０度異なった向きに原稿台に載置される偶数ページと奇数ページの画像の向きを同じ向きにして印刷することができるように、偶数ページと奇数ページの原稿の何れかに対して回転処理を施して印刷する。ここでの回転処理は、画像の向きを１８０度回転させることである。回転処理の方法としては、原稿を走査して得られた画像を１８０度回転させたり、原稿の走査方向を変更したりする方法を用いる。【選択図】  図３
2005217942.tif 000002
【特許請求の範囲】
【請求項１】
原稿台に載置された原稿が、偶数ページか奇数ページかを判断する判断手段と、
偶数ページまたは奇数ページと判断された原稿の画像に回転処理を施す画像処理手段と、
回転処理が施された画像を印刷する印刷手段を備えたことを特徴とする画像処理装置。
【請求項２】
上記原稿を走査する走査手段と、
上記画像処理手段は、上記走査手段が行う走査の走査方向を変更することで回転処理を施す請求項１に記載の画像処理装置。
【請求項３】
上記画像処理手段は、上記走査手段が行う走査の走査方向のうち、副走査方向のみの変更と、上記走査によって得られた画像の主走査方向の位置を反転させることで回転処理を施す請求項２に記載の画像処理装置。
【請求項４】
上記画像処理手段は、上記走査により１つの主走査ラインの画像が得られる度に、得られた主走査ラインの画像の主走査方向の位置を反転させる請求項３に記載の画像処理装置。
【請求項５】
上記判断手段は、印刷指示の累積回数に基づいて、偶数ページか奇数ページかを判断する請求項１に記載の画像処理装置。
【発明の詳細な説明】
【技術分野】
【０００１】
本発明は、複合機、複写機等の原稿を読み取って、原稿を用紙に印刷する画像処理装置に関する。
【背景技術】
【０００２】
複写機や複合機の原稿台は、一般的に平らとなっている。平らな原稿台に綴じ部分のあるブック原稿を載置すると、綴じ部分が原稿台と密着せずに、原稿台から浮き上がってしまう。そのため、原稿台が平らな複写機等にてブック原稿が読み取られると、綴じ部分の画像データが実際よりも黒ずんだり、縮小されて複写機に認識されてしまう。
【０００３】
綴じ部分も正確に読み取ることができる画像読取装置が、特開２０００−１６５６１７号公報に記載されている。この公報に記載の画像読取装置５００は、図１０に示すように、画像読取装置５００のコーナ部分１１１まで原稿台１０１が拡張されている。
【０００４】
画像読取装置５００でブック原稿１１３を読み取る場合、ユーザは、見開きの状態のブック原稿１１３の綴じ部分１１４をコーナ部分１１１に合わせて、偶数ページ１１６と奇数ページ１１７のうち読み取らせたいページを原稿台１０１に載置し、もう一方のページを側面１１５に沿わせて載置する。
【０００５】
コーナ部分１１１まで原稿台１０１が拡張されているために、綴じ部分１１４が原稿台１０１に密着することができるので、上記公報の画像読取装置５００は、綴じ部分１１４を正確に読み取ることができる。
【特許文献１】特開平２０００−１６５６１７号公報
【発明の開示】
【発明が解決しようとする課題】
【０００６】
綴じ部分１１４をコーナ部分１１１に合わせてブック原稿１１３を画像読取装置５００に読らせる場合、図１１に示すように、偶数ページ１１６を読み取らせるときと、奇数ページ１１７を読み取らせるときでは、ブック原稿１１３の向きを１８０度異ならせて画像読取装置５００に載置することになる。
【０００７】
そのため、画像読取装置５００が読み取ったブック原稿１１３を印刷すると、偶数ページ１１６と奇数ページ１１７が１８０度異なった向きに排紙される。向きを揃えるのは、ユーザの作業となってしまう。
【０００８】
そこで、本発明は、ユーザの手間を省くために、偶数ページと奇数ページの画像の向きを揃えて印刷することができる画像処理装置を提供することを目的とする。
【課題を解決するための手段】
【０００９】
本発明の画像処理装置は、偶数ページと奇数ページの画像の向きを同じ向きにして印刷することができるように、偶数ページと奇数ページの原稿の何れかに対して回転処理を施して印刷する。ここでの回転処理は、画像の向きを１８０度回転させることである。
【００１０】
回転処理を施す方法の例として下記の方法がある。
【００１１】
１つ目の方法は、原稿を走査して得られた画像データを１８０度回転させる方法である。具体的には、例えば、走査によって得られた画像データを逐次メモリに格納し、原稿全体が走査されて、原稿全体の画像データがメモリに格納されると、格納された順序と逆の順序でメモリから画像データを読み出して、読み出した順序に基づいて複写画像を形成する。
【００１２】
二つめの方法は、原稿の走査方向を変更することである。例えば、回転処理する原稿の走査と、回転処理をしない原稿の走査の方向を逆にする。走査方向を逆にすると、走査によって得られる画像データの順序が異なるので、複写画像の形成を画像データの得られた順序に基づいて行うことができる。そのため、メモリを必要としない。
【００１３】
また、１つ目の方法と２つ目の方法の両方を利用して回転処理を行ってもよい。例えば、回転処理する原稿の走査の副走査方向のみを、回転処理しない原稿の走査方向と逆にし、副走査方向を逆にした走査によって得られた画像データの主走査方向の位置を反転させることで、回転処理をしてもよい。
【００１４】
主走査方向の位置の反転は、例えば、走査によって得られた画像データを逐次メモリに格納し、１主走査ラインの画像データがメモリに格納されると、格納された順序と逆の順序でメモリからその１主走査ラインの画像データを読み出して、読み出した順序に基づいて、読み出した１主走査ラインの画像データを配列する。
【００１５】
１主走査ラインの画像データが格納される度に画像データの主走査方向のみの位置を反転させる場合は、反転させるために必要なメモリの容量は、１主走査ライン分の画像データの容量で済む。
【発明の効果】
【００１６】
以上のように、原稿の偶数ページか奇数ページの何れかを印刷する場合、原稿に回転処理を施して印刷するので、偶数ページと奇数ページの画像が同じ向きで印刷される。よって、画像の向きを揃えるユーザの手間を省くことができる。
【発明を実施するための最良の形態】
【００１７】
（実施の形態１）
図１は本実施の形態の画像処理装置１００の外観図である。画像処理装置１００は、上面に表示パネル１０５と原稿台１０１が設けられた本体１０７と、開閉可能に本体１０７の上部に設けられたプラテンカバー１０２とから構成されている。プラテンカバー１０２には、複数の原稿を１枚づつ読取位置１０４に搬送する自動原稿搬送装置１０３が設けられている。上記原稿台１０１は、図１０のように、コーナ部分１１１まで拡張されている。
【００１８】
図２に、画像処理装置１００の原稿台１０１周辺の拡大断面図を示す。図２に示すように、画像読取装置１００は、原稿台１０１の下方に、原稿台１０１を照射する光源１１と、光源１１から発せられた光を原稿台１０１に導く反射板２１と、原稿台１０１からの反射光をＣＣＤ１６に導くミラー１２、１３、１４と、光源１１とミラー１２を支持し副走査方向に移動できるキャリッジ１７を備える。キャリッジ１７は、原稿の走査を行わない時は、ホームポジションＨＰで待機している。
【００１９】
原稿台１０１に載置された原稿を走査する場合、図３に示す画像処理装置１００に備えられた走査手段４０４は、光源１１を発光させながら、キャリッジ１７を副走査方向に移動させて原稿台１０１を照射する。原稿台１０１に原稿が載置されていると、光源１１から発せられた光は、原稿で反射して、ミラー１２、１３、１４に導かれてＣＣＤ１６に受光される。
【００２０】
本実施の形態の画像処理装置１００は、原稿の画像をそのまま複写したり、１８０度回転させて複写したりすることができる。何れの方式で複写するかは、ユーザが選択することができる。
【００２１】
本実施の形態の画像処理装置１００の上記表示パネル１０５の初期画面に、図４（ａ）に示すように、ブック原稿キー３０１、印刷キー３０２、倍率変更キー３０３、用紙サイズ変更キー３０４等が表示されている。原稿の偶数ページ１１６か奇数ページ１１７だけを１８０度回転させて複写したい場合、ユーザは、ブック原稿キー３０１を押下する。
【００２２】
ブック原稿キー３０１が押下されると、画像処理装置１００が備える図３に示す複写制御手段４０１は、ブック原稿モードを起動させる（図５、Ｓ５０１）。上記複写制御手段４０１は、ブック原稿モードを起動させると、表示パネル１０５を初期画面から図４（ｂ）に示すようなＯＫキー３０５とキャンセルキー３０６を表示した画面に切り替える。
【００２３】
ユーザは、ブック原稿キー３０１を押下すると、ブック原稿１１３の複写するページを原稿台１０１に載置する。本実施の形態での複写するページは、図６に示す「ＡＢＣ」の文字が記述された偶数ページ１１６と、「ＸＹＺ」が記述された奇数ページ１１７の２ページとする。ここでは、ユーザは、奇数ページ１１７、偶数ページ１１６の順で複写を行うものとする。
【００２４】
奇数ページ１１７を載置するには、図７（ａ）に示すように、図６の状態のブック原稿１１３を上下方向に裏返して、綴じ部分１１４をコーナ部分１１１に合わせて、奇数ページ１１７を原稿台１０１に載置する。そのため、図６に示す状態の奇数ページ１１７の左下点Ａ、左上点Ｂ、右上点Ｃ、右下点Ｄが、原稿台１０１上では、図７（ａ）に示すように、奇数ページ１１７の左上、左下、右下、右上に位置することになる。
【００２５】
ユーザは、奇数ページ１１７を原稿台１０１に載置し、表示パネル１０５の画面が図４（ｂ）に示す画面に切り替わると、ＯＫキー３０５を押下する（図５、Ｓ５０２）。ＯＫキー３０５が押下された旨は、判断手段４０２に認識される。
【００２６】
上記判断手段４０２は、ＯＫキー３０５が押下された回数をカウントして、原稿台１０１に載置されている原稿が偶数ページ１１６か奇数ページ１１７かを判断し、その結果を上記複写制御手段４０１に通知する（図５、Ｓ５０３）。本実施の形態では、上記判断手段４０２は、ＯＫキー３０５が押下された回数が奇数回の場合は、奇数ページ１１７と判断し、偶数回の場合は、偶数ページ１１６と判断する。
【００２７】
本実施の形態では、ここまでＯＫキー３０５は１回押下されただけであるので、上記判断手段４０２は、奇数ページ１１７である旨を上記複写制御手段４０１に通知する。
【００２８】
上記複写制御手段４０１は、上記判断手段４０２から通知された結果に基づいて、原稿の画像をそのまま複写するか、１８０度回転させて複写するかを決定する（図５、Ｓ５０４）。本実施の形態では、上記複写制御手段４０１は、奇数ページ１１７が通知された場合、原稿の画像をそのまま複写し、偶数ページ１１６が通知された場合、１８０度回転させて複写すると決定する。
【００２９】
上記のように、ここでは奇数ページ１１７が通知されているので、上記複写制御手段４０１は、原稿の画像をそのまま複写すると決定する。原稿の画像をそのまま複写すると決定すると、上記複写制御手段４０１は、その旨を画像処理手段４０３に通知する。
【００３０】
原稿の画像をそのまま複写する旨が通知されると、上記画像処理手段４０３は、原稿台１０１を走査するように上記走査手段４０４に指示する。
【００３１】
走査の指示があると、上記走査手段４０４は、原稿台１０１に載置されている原稿のサイズを検知して、原稿のコーナ部分１１１と反対側の端部の位置を算出して、この算出した位置を読取開始位置Ｐａとして決定する。読取開始位置Ｐａを決定すると、上記走査手段４０４は、上記キャリッジ１７をホームポジションＨＰから読取開始位置Ｐａに移動させる。読取開始位置Ｐａに移動させると、上記走査手段４０４は、上記画像処理手段４０３に走査開始を通知して、光源１１を点灯させたまま、読取開始位置Ｐａからコーナ部分１１１へとキャリッジ１７を移動させて原稿を走査する（図５、Ｓ５０５）。
【００３２】
上記ようにＣＣＤ１６に受光された光は、画像データを示す電気信号に変換されて、上記画像処理手段４０３に入力される。上記画像処理手段４０３は、走査開始が通知された以前に入力された電気信号は画像データとして無効なものとみなす。
【００３３】
図７（ａ）に示すように、奇数ページ１１７は綴じ部分１１４となる右上点Ｃ及び右下点Ｄをコーナ部分１１１側にして原稿台１０１に載置されており、キャリッジ１７が読取開始位置Ｐａからコーナ部分１１１へと移動するので、この走査では、図７において奇数ページ１１７の左側から右側へと走査が行われることになる。
【００３４】
また、光源１１は主走査方向に長く、光源１１から発せられた光を受光することができるように、ＣＣＤ１６は、図７（ａ）に示すように、主走査方向に多数並べて配置されている。ここでは、各ＣＣＤ１６にて変換された電気信号は、図７（ａ）の上側に配置されたＣＣＤ１６で変換されたものから順に上記画像処理手段４０３に出力されるようになっている。
【００３５】
そのため、上記画像処理手段４０３に画像データが出力される奇数ページ１１７の各位置の順序は、図８の矢印方向１２７が示すように、左下点Ａ、左上点Ｂ、右下点Ｄ、右上点Ｃの順となる。
【００３６】
ここでは、原稿の画像をそのまま複写する旨が上記複写制御手段４０１から通知されているので、上記画像処理手段４０３は、各ＣＣＤ１６から入力された画像データを入力された順に印刷手段４０５に出力する。
【００３７】
上記印刷手段４０５は、入力された順番に基づいて画像データから複写データを形成し、この複写データを印刷する（図５、Ｓ５０６）。
【００３８】
ユーザは、奇数ページ１１７が印刷されると、偶数ページ１１６を原稿台１０１に載置する。偶数ページ１１６を載置するには、図７（ｂ）に示すように、図６の状態のブック原稿１１３を左右方向に裏返して、綴じ部分１１４をコーナ部分１１１に合わせて、偶数ページ１１６を原稿台１０１に載置する。そのため、図６に示す状態の偶数ページ１１６の左下点Ａ、左上点Ｂ、右上点Ｃ、右下点Ｄが、原稿台１０１上では、図７（ｂ）に示すように偶数ページ１０６の右下、右上、左上、左下に位置することになる。
【００３９】
ユーザは、偶数ページ１１６を原稿台１０１に載置すると、ＯＫキー３０５を押下する（図５、Ｓ５０７）。ＯＫキー３０５が押下された旨は、上記判断手段４０２に認識される。
【００４０】
ＯＫキー３０５の押下は２度目となるので、上記判断手段４０２は、原稿台１０１に載置されている原稿が偶数ページ１１６であると判断し、上記複写制御手段４０１に偶数ページ１１６である旨を通知する（図５、Ｓ５０３）。
【００４１】
偶数ページ１１６である旨が通知されると、上記複写制御手段４０１は、原稿の画像を１８０度回転させて複写すると決定し、その旨を上記画像処理手段４０３に通知する（図５、Ｓ５０４）。
【００４２】
原稿の画像を１８０度回転させて複写する旨が通知されると、まず、上記画像処理手段４０３は、原稿をそのまま複写する旨が通知されたときと同じように、原稿台１０１を走査するように上記走査手段４０４に指示する。
【００４３】
走査の指示があると、上記走査手段４０４は、上記と同じように読取開始位置Ｐａを決定し、上記キャリッジ１７を読取開始位置Ｐａからコーナ部分１１１へ移動させて原稿を走査する（図５、Ｓ５０８）。
【００４４】
図７（ｂ）に示すように、偶数ページ１１６は、綴じ部分１１４となる左上点Ａ及び左下点Ｂをコーナ部１１１側にして原稿台１０１に載置されており、キャリッジ１７が読取開始位置Ｐａからコーナ部分１１１へと移動するので、この走査では、偶数ページ１１６の右上点Ｃ、右下点Ｄ側から左下点Ａ、左上点Ｂ側へと走査が行われることになる。また
上記のように本実施の形態では、各ＣＣＤ１１６に変換された電気信号は、図７（ｂ）の上側に配置されたＣＣＤ１１６にて変換されたものから順に上記画像処理手段４０３に出力されるようになっているので、画像データが上記画像処理手段４０３に出力される偶数ページ１１６の全位置の順序は、図８の矢印１２６が示すように、右上点Ｃ、右下点Ｄ、左上点Ｂ、左下点Ａの順となる。この順序は、奇数ページ１１７の場合と全く逆となる。
【００４５】
ここでは、原稿の画像を１８０度回転させて複写する旨が上記複写制御手段４０１から通知されているので、上記画像処理手段４０３は、各ＣＣＤ１６から出力された画像データをそのまま上記印刷手段４０５に出力するのではなく、ＣＣＤ１６から出力された順に一旦メモリ４０６に格納する。
【００４６】
上記画像処理手段４０３は、偶数ページ１１６の各位置に対応する画像データを上記メモリ４０６に格納すると、格納した順と逆順序でメモリ４０６から読み出して、上記印刷手段４０５に入力する（図５、Ｓ５０９）。上記印刷手段４０５は、入力された順番に従って形成した複写画像を印刷する（図５、Ｓ５０６）。
【００４７】
上記印刷手段４０５に画像データが入力される偶数ページ１１６の位置の順序は、左下点Ａ、左上点Ｂ、右下点Ｄ、右上点Ｃとなり、奇数ページ１１７の画像データが上記印刷手段４０５に入力される順序と同じになる。よって、上記印刷手段４０５が形成する偶数ページ１１６の複写画像は、奇数ページ１１７の複写画像と同じ向きとなる。
【００４８】
ユーザは、偶数ページ１１６が複写されると、表示パネル１０５のキャンセルキー３０６を押下する（図５、Ｓ５０７）。キャンセルキー３０６が押下されると、上記判断手段４０２は、ＯＫキー３０５が押下された回数を０に戻し、上記複写制御手段４０１は、ブック原稿モードを終了させて、表示パネル１０５を初期画面に戻す。
【００４９】
（実施の形態２）
原稿の画像を１８０度回転させる方法は、画像データを格納した順序と逆順序にメモリ４０６から読み出す方法に限定されない。
【００５０】
例えば原稿の走査の走査方向の変更を利用する方法でもよい。本実施の形態では、原稿の画像を１８０度回転に、走査方向のうち副走査方向の変更を利用した場合について説明する。
【００５１】
実施の形態１のように、原稿の画像を１８０度回転させて複写する旨が上記複写制御手段４０１から通知されると、上記画像処理手段４０３は、上記走査手段４０４に対して、副走査方向が逆方向の走査を指示する。
【００５２】
副走査方向が逆方向の走査の指示があると、上記走査手段４０４は、まず原稿台１０１に載置されている原稿のサイズを検知して、原稿のコーナ部分１１１と反対側の端部の位置を算出して、この算出した位置を読取終了位置として決定する。読取終了位置を決定すると、上記走査手段４０４は、本実施の形態における読取開始位置Ｐａとなるコーナ部分１１１にキャリッジ１７を移動させる。キャリッジ１７をコーナ部分１１１に移動させると、上記走査手段４０４は、上記画像処理手段４０３に走査開始を通知して、光源１１を点灯させたままコーナ部分１１１から上記読取終了位置へキャリッジ１７を移動させる。
【００５３】
ここで、コーナ部分１１１から上記読取終了位置へとキャリッジ１７を移動させたときに、原稿台１０１に図７（ｂ）に示すように偶数ページ１１６の原稿が載置されているとする。
【００５４】
図７（ｂ）に示すように、偶数ページ１１６は綴じ部分１１４となる左上点Ａ及び左下点Ｂをコーナ部分１１１側にして原稿台１０１に載置されており、キャリッジ１７がコーナ部分１１１から読取終了位置へと移動するので、この走査では、偶数ページ１１６の左下点Ａ、左上点Ｂ側から右上点Ｃ、右下点Ｄ側へと走査が行われることになる。
【００５５】
そのため、上記画像処理手段４０３に画像データとなる電気信号が出力される偶数ページ１１６の各位置の順序は、図９の矢印１２８が示すように、左上点Ｂ、左下点Ａ、右上点Ｃ、右下点Ｄの順となる。この順序は、実施の形態１の奇数ページ１１７と副走査方向が同じで、主走査方向のみが逆となる順序である。
【００５６】
本実施の形態でも実施の形態１と同じように、原稿の画像を１８０度回転させて複写する旨が上記複写制御手段４０１から通知されている場合、上記画像処理手段４０３は、各ＣＣＤ１６から入力された画像データを入力された順にメモリ４０６に格納する。
【００５７】
上記画像処理手段４０３は、１主走査ライン分の画像データを上記メモリ４０６に格納する度に、格納した順と逆順序でメモリ４０６から画像データを読み出して上記印刷手段４０５に入力する。
【００５８】
これにより、各主走査ライン内において画像データの格納された順序と読み出される順序が反転する。よって、画像データがメモリ４０６から読み出される偶数ページ１０６の位置の順序が、左下点Ａ、左上点Ｂ、右下点Ｄ、右上点Ｃとなり、この順序は、実施の形態１で奇数ページ１１７の画像データが上記印刷手段４０５に入力される順序と同じとなる。
【００５９】
よって、上記画像処理手段４０３は、メモリ４０６から読み出した順序で、上記印刷手段４０５に画像データを入力することで、１８０度回転した偶数ページ１１６の複写画像が上記印刷手段４０５にて形成される。
【００６０】
本実施の形態では、１主走査ラインの画像データがメモリに格納されると、画像データがメモリ４０６から読み出されるので、メモリ４０６の容量は、１主走査ラインの画像データを記憶することができる容量で足る。
【００６１】
また、実施の形態１のように、奇数ページ１１７を走査する場合も偶数ページ１１６を走査する場合も、読取開始位置Ｐａからコーナ部分１１１にキャリッジ１７を移動させるために、１ページの走査が終わるたびに、キャリッジ１７をコーナ部分１１１から読取開始位置に戻さなければならない。しかし、本実施の形態のように、奇数ページ１１７を複写する場合は、読取開始位置Ｐａからコーナ部分１１１にキャリッジ１７に移動させ、偶数ページ１１６を複写する場合は、キャリッジを逆向きに移動させるので、１ページの走査が終わると、その場から逆方向にキャリッジ１７を移動させるだけで、次のページの走査をすることができる。
【図面の簡単な説明】
【００６２】
【図１】画像処理装置の外観図。
【図２】画像処理装置の原稿台周辺の拡大断面図である。
【図３】画像処理装置の機能ブロック図である。
【図４】表示パネルの一例である。
【図５】複写される手順を示すフローチャートである。
【図６】複写する対象となる原稿の模式図。
【図７】偶数ページと記数ページを原稿台に載置した時の原稿の向きを示す図。
【図８】走査方向を示す図。
【図９】走査方向を示す図。
【図１０】ブック原稿を読み取ることができる従来の画像読取装置。
【図１１】偶数ページと奇数ページを原稿台に載置した時の原稿の向きを示す図。
【符号の説明】
【００６３】
１００  画像処理装置
１０１  原稿台
１１６  偶数ページ
１１７  奇数ページ
３０１  ブック原稿キー
３０５  ＯＫキー
４０１  複写制御手段
４０２  判断手段
４０３  画像処理手段
４０４  走査手段
４０５  印刷手段
４０６  メモリ
【図１】
2005217942.tif 000003
【図２】
2005217942.tif 000004
【図３】
2005217942.tif 000005
【図４】
2005217942.tif 000006
【図５】
2005217942.tif 000007
【図６】
2005217942.tif 000008
【図７】
2005217942.tif 000009
【図８】
2005217942.tif 000010
【図９】
2005217942.tif 000011
【図１０】
2005217942.tif 000012
【図１１】
2005217942.tif 000013